(57)【特許請求の範囲】
【請求項１】
中央部を先行して施工し、外周部を完成させた後、中間部で閉合する施工法において、冬期に中央部を、春期に外周部を、夏期に中間部を施工するとして、中央部と外周部での溶接収縮を中間部閉合時の温度の伸びで相殺するとして、精度調整するとしたことを特徴とする溶接摂合ドーム構造における精度調整法。
【請求項２】
中央部を先行して施工し、外周部を完成させた後、部分的に中央部と外周部をドーム中央部とこれの両側対称して60°角の円弧状に連結架橋させるとしたところの中央部とこれの両側対称して60°角の円弧状に中間部分ならびに外周部が完成すると、自立可能となり、安定するので、これを順次拡大する要領のもとになされるとした請求項１記載の溶接接合ドーム構造における精度調整法。
【請求項３】
より多くの二等辺三角形を一列に横並びさせた鉄骨ブロックを優先して互いに相隣接させることなく配置し、次いで残余白に前記鉄骨ブロックよりも三角形数の少ない鉄骨ブロックを単材建方にて埋めていくとしたことを特徴とする正三角形に近い二等辺三角形を基本グリッドとした単層ラチス大ドーム構造の地組建方におけるブロック割のもとでなされるとした請求項１又は２記載の溶接接合ドーム構造における精度調整法。
【発明の詳細な説明】
【０００１】
【発明の属する技術分野】
本発明は、溶接接合ドーム構造における精度調整法に関する。
【０００２】
【発明が解決しようとする課題】
ドームとは、形状が２方向になめらかに湾曲している状態を指し、この構造形式は、適切な湾曲度合と剛な支持条件が与えられると、作用する外荷重を軸力で三次元的に支持構造へ伝達する合理的な構造であり、軽量な構造体で大空間を覆うことが可能となる。ドーム構造のうち、シングルレイヤートラスドームには、大別して２種類ある。そのひとつは、部材が集結する節点で各部材が剛に接合されている剛接ラチスドーム（溶接接合ドーム構造）であり、他の一つは、節点でピン接合されているピン接合ラチスドームである。尚、シングルレイヤートラスとは、構成する部材が立体的な組み立て材ではなく、形態的には連続体の薄肉シエルのような一重のものを指す。実際には鋼管やＨ型鋼等の集合体にて構成される。
【０００３】
従来の溶接接合ドーム構造では、支保工及び足場の全面構築のもと、溶接時期の考慮は別段なくして、外周より中央へ向って施工するのが一般的で、これは地組の場合にあっても同様である。
この溶接々合にあっては、溶接収縮が累積する中央閉合部で設計座標通りの部材設置はほとんど不可能で許容範囲を大きく超えるため部材の大なる寸法変更が不可避となる。
【０００４】
本発明は叙上の事情からなされたもので、その目的とするところは、溶接接合のドーム構造において、できる限り溶接収縮を低減できるように施工順序、溶接時期を組合わせた精度調整法を提供することを目的とする。
【０００５】
【課題を解決するための手段】
上記目的を達成するために、本発明の溶接々合ドーム構造における精度調整法は、中央部を先行して施工し、外周部を完成させた後、中間部で閉合する施工法において、冬期に、中央部を、春に外周部を、夏季に中間部を施工するとして、中央部と外周部での溶接収縮を中間部閉合時の温度の伸びで相殺するとして、精度調整するとしたものである。
【０００６】
【作用】
中央部，外周部の溶接収縮は中間部閉合時にはほぼ温度の伸びと相殺されるため、中間部閉合の寸法調整は不要か若しくは小さくて済み、特別な調整をせずに設計座標に部材を設置すれば誤差がほぼ許容範囲内に入るので施工効率が向上し、精度も確保される。
【０００７】
【発明の実施の形態】
本発明の実施の形態を説明する。図１に示される如き世界最大（直径１８７．２ｍ）で屋根鉄骨が正三角形に近い二等辺三角形を基本グリッドで、主架構は全て鋼管で、節点には鋳鋼ノードを使用し、継ぎ手は全て溶接接合である単層ラチスドーム構造が設計された。この屋根を構成するラチス材は、６５０φの鋼管１１５２本、テンションリング材は、９００φの鋼管７２本、節点は、直径１４５０ｍｍの鋳鋼ノード３６１点に及ぶ。これほどの規模の単層ラチスドーム構造では、検討の結果、仮設構台量低減のため、屋根を２ＦＬより地組し、屋根の仕上・設備工事まで完了後、所定の高さまでジャッキで上昇させるリフトアップ工法を採用するものとされた。これにより外周躯体と屋根工事の同時施工が可能となり、工期短縮がはかれるうえ、組付け精度の確保が容易になる。
【０００８】
地組の施工法は、中央部を先行して施工し、外周部を完成させた後、部分的に中央部と外周部を対角に連結架橋させるとしたところの中央部とこれの両側対称して６０°角の円弧状に中間部分並びに外周部が完成すると、自立可能となり、安定するので、これを順次拡大する要領のもとになされるもので、具体的には図２にその過程が示されている。
【０００９】
中央部を先行することにより、外周躯体の屋根鉄骨仮受部の完成前より、屋根工事に着手できることと、最高部で仮設構台量の多い部分を広いスペースで施工できるので施工効率が上がることにより工期短縮も図られる。
また、上部での現場溶接カ所数を低減するため、鉄骨を出来る限り地組により大ブロック化する。これにより、現場上架単材数，上架現場溶接カ所数の低減化が期し得る。この正三角形に近い二等辺三角形を基本グリットとした単層ラチス大ドーム構造の地組建方におけるブロック割は、二等辺三角形を一列に横並びさせたブロック形状であって、使用クレーンの吊能力との関連のもと三角形数のより多くのものが優先して互いに相隣接させることなく最も多く配置されるとした。
【００１０】
しかして、ブロックは三角形一列横並びで構成されているので、ブロック地組ラインの巾は三角形１ケが収まればよい最小限にでき、ブロック地組スペースが低減できる。さらに、養生用の上屋もラインの巾が一定なので両側にレールを敷設することにより移動上屋にでき、三角形１個をカバーできる大きさとして、それをブロックの大きさに合わせて組合わせることにより、効率的な養生用の仮設となる。また、ラインの作業で平準化が図られるため、施工管理効率も向上する。最大の三角形数で最大面積のものが優先して可能なかぎりの座を占めるため、一揚重での架設面積を大きくできる。
【００１１】
図３はこの屋根ブロック割形態を示し、正三角形に近い二等辺三角形を基本グリッドとした単層ラチス大ドーム屋根１にあって、当該二等辺三角形を一列に横並びさせたブロック形状の最大のものを使用クレーンの吊能力から二等辺三角形４つに設定している。
先ず、当該４つのもの（ｄ）を優先して可能なかぎり配し、残余に３つのもの（ｃ）、２つのもの（ｂ），１つのもの（ａ）を相互に非隣接のもとに配して埋めていく。残余空白は、単材建方となる。
【００１２】
図示例では、この際、ドーム屋根１の中間部と等角放射線上に溶接収縮と温度伸縮用の調整スパン２，３を確保しつつなしている。
図中同種類（ａ），（ｂ）、（ｃ），（ｄ）であっても符号が異なるのは、ドーム弯曲位置の違いにより同一反りでないことによる。この手法の結果、表１のように現場上架単材数で約４割、上架現場溶接カ所数で約３割低減することが出来た。
【００１３】
【表１】
0003574857.tif 000002
【００１４】
なお、リフトアップ定着は最収縮の冬期になされる。以上の施工要領のもとでの閉合部の精度調整が図４に示される。すなわち、夏期の閉合時、冬期に施工された中央構台部４では半径３０ｍのスパンにあって、２０℃のもと約７ｍｍの伸びが起きるが、３カ所でなされる閉合溶接収縮は計６ｍｍ生じる。この結果１ｍｍの設計誤差を生じる。但し、これは充分に許容範囲内に入っている。
【００１５】
一方、春になされた外周部５では、２０ｍのスパンにあって、１５℃のもと約４ｍｍの伸びが起きるが、２カ所でなされる閉合溶接縮は計４ｍｍ生じる。この結果誤差零となる。
このため、中間部６にあっては、特別な調整をすることなく設計座標に部材を設置していけばよいものとなった。
【００１６】
【発明の効果】
本発明は以上の構成よりなるものとしたから、次記の如き効果を奏する。
溶接収縮に由る閉合時の部材の寸法調整が不要化し、最も困難な精度調整負担が激減した。
【図面の簡単な説明】
【図１】本発明対象の単層ラチス大ドーム構造の伏，立面図である。
【図２】本発明のドーム建方順図である。
【図３】本発明のブロック割説明図である。
【図４】本発明における閉合部の精度調整説明図である。
【符号の説明】
１  単層ラチス大ドーム屋根
２  調整スパン
３  調整スパン
４  中央構台部
５  外周部
６  中間部
【図１】
0003574857.tif 000003
【図２】
0003574857.tif 000004
【図３】
0003574857.tif 000005
【図４】
0003574857.tif 000006